(57)【要約】【課題】テレビ番組等の録画も可能なＨＤＤ（ハードディスク）を備え、そのＨＤＤを利用してＤＶＤ（デジタル・バーサタイル・ディスク）の容量の最適化を行える機能を有するディスク記録再生装置を提供する。【解決手段】ＤＶＤ８に消去済みであるが記録不可の領域がある場合、消去済み領域以降の情報をＨＤＤ９に一旦コピーし、このコピーした情報をＤＶＤ８の空き領域に前詰めでコピーすることにより、ＤＶＤ８の容量の最適化を実行する制御部５を備えたので、ＤＶＤ８の容量の最適化処理を実行できる。また、ＨＤＤ９に録画しながらＤＶＤ８の最適化処理ができるので、最適化処理の効率が向上する。また、ＨＤＤ９を利用してＤＶＤ８の容量の最適化を行えるので、最適化処理が簡単にでき、低コストで行える。【選択図】      図１
2004326884.tif 000002
【特許請求の範囲】
【請求項１】
光ディスクに対して情報の記録・再生を行う光ディスクドライブ部とハードディスクに対して情報の記録・再生を行うハードディスクドライブ部とを備えるディスク記録再生装置であって、前記光ディスクにシリアルに記録される録画モードであるビデオモードにより記録された各番組情報の先頭アドレスを検出する先頭アドレス検出手段と、各番組情報の終端アドレスを検出する終端アドレス検出手段と、前記終端アドレス検出手段により検出された当該番組情報の終端アドレスと前記先頭アドレス検出手段により検出されたその次の番組情報の先頭アドレスとの間で連続性があるか否かを判定するアドレス連続性判定手段と、前記アドレス連続性判定手段により両アドレス間に連続性がないと判定された場合に前記光ディスク上に消去済みであるが録画不可の領域があると判定する領域判定手段と、前記領域判定手段により判定された録画不可の領域以降の領域の番組情報を読み出して前記ハードディスクにコピーする処理を行う第１コピー手段と、前記第１コピー手段により前記ハードディスクにコピーされた番組情報を前詰で前記光ディスクの空き領域にコピーする第２コピー手段とを有した制御部を備えることにより、前記光ディスクの容量の最適化処理を実行し、また前記ハードディスクへの新たな番組情報の録画開始時に、前記制御部の動作を平行処理で行うことを選択して平行処理を行う場合、その新たな番組情報の録画が完了すると、前記第２コピー手段により前記光ディスクにコピーされた番組情報の次の領域に前詰めで前記新たな番組情報をコピーすることにより、前記光ディスクの容量の最適化処理を実行することを特徴とするディスク記録再生装置。
【請求項２】
光ディスクに対して情報の記録・再生を行う光ディスクドライブ部とハードディスクに対して情報の記録・再生を行うハードディスクドライブ部とを備えるディスク記録再生装置であって、前記光ディスクに消去済みであるが記録不可の領域がある場合、前記消去済み領域以降の情報を前記ハードディスクに一旦コピーし、このコピーした情報を前記光ディスクの空き領域に前詰めでコピーすることにより、前記光ディスクの容量の最適化を実行する制御部を備えたことを特徴とするディスク記録再生装置。
【請求項３】
前記制御部は、新たな情報を記録する場合、新たな情報を前記ハードディスクに記録しつつ、平行処理で前記光ディスクの容量の最適化を実行し、新たな情報の記録が完了すると、新たな情報を前記光ディスクの空き領域に前詰めでコピーすることを特徴とする請求項２に記載のディスク記録再生装置。
【請求項４】
前記制御部は、前記光ディスクにシリアルに記録される録画モードであるビデオモードにより記録された各情報の先頭アドレスを検出する先頭アドレス検出手段と、各情報の終端アドレスを検出する終端アドレス検出手段と、前記終端アドレス検出手段により検出された当該情報の終端アドレスと前記先頭アドレス検出手段により検出されたその次の情報の先頭アドレスとの間で連続性があるか否かを判定するアドレス連続性判定手段と、前記アドレス連続性判定手段により両アドレス間に連続性がないと判定された場合に前記光ディスク上に消去済みであるが記録不可の領域があると判定する領域判定手段と、前記領域判定手段により判定された記録不可の領域以降の領域の情報を読み出して前記ハードディスクにコピーする処理を行う第１コピー手段と、前記第１コピー手段により前記ハードディスクにコピーされた情報を前詰で前記光ディスクの空き領域にコピーする第２コピー手段とを有したことを特徴とする請求項２または請求項３に記載のディスク記録再生装置。
【請求項５】
前記光ディスクまたは／および前記ハードディスクに記録される情報は、各種番組の映像音声情報であることを特徴とする請求項２ないし請求項４の何れかに記載のディスク記録再生装置。
【発明の詳細な説明】
【０００１】
【発明の属する技術分野】
本発明は、光ディスクに対して情報の記録・再生を行う光ディスクドライブ部とハードディスクに対して情報の記録・再生を行うハードディスクドライブ部とを備えるディスク記録再生装置に関し、特に、光ディスクである例えば書換え可能なＤＶＤ（デジタル・バーサタイル・ディスク）の容量の最適化処理を行える機能を有するディスク記録再生装置に関する。
【０００２】
【従来の技術】
近年、記録媒体である光ディスクうちの一つで、書換え可能なＤＶＤ（ＤＶＤ−ＲＷ）に対して情報を記録・再生することができるＤＶＤプレイヤーが普及しつつある。このようなＤＶＤプレイヤーは、ＤＶＤに予め記録されている情報を再生できることは勿論、例えばテレビ番組をＤＶＤに録画したり、録画したテレビ番組を再生したりすることができる。また、パーソナルコンピュータのハードディスクに記録された例えばテレビ番組の情報をＤＶＤに収めたい場合は、パーソナルコンピュータとＤＶＤプレイヤーを接続し、ハードディスクの情報をＤＶＤにコピーし、ＤＶＤに情報を書き込んでいる。
【特許文献１】
特開２００２−３５２５６５号公報
【０００３】
【発明が解決しようとする課題】
ところで、ＤＶＤへの記録は、情報の記録可能な最初のアドレスからシリアルに記録する録画モード（ビデオモード）で、番組が順次記録されるが、ユーザが途中の番組を消去操作すると、この消去操作した番組が記録されていた領域が空き領域となる。
【０００４】
そこで、このような空き領域を無駄にしないため、例えば特許文献１に記載のディスク記録再生装置では、ディスク（ＤＶＤ）に記録する記録データを格納するキャッシュ手段（ハードディスク）を設け、ディスク上の空き領域の途中に既に記録データが記録される既記憶領域の存在により物理的に不連続に記録データが分散して記録されると判断される際に、前記既記憶領域から記録データをディスクから読み取って前記キャッシュ手段に格納し、このキャッシュ手段に格納されているデータをファイル単位でディスクに記録する順番を編集し、この編集順にファイル単位でディスク上に書き込み開始位置から物理的に連続してデータ記録を行うようにしている。
【０００５】
しかしながら、この特許文献１のディスク記録再生装置では、ディスク上の空き領域を無駄にしないため、前記既記憶領域から記録データをディスクから読み取って前記キャッシュ手段に格納し、このキャッシュ手段に格納されているデータをファイル単位でディスクに記録する順番を編集するという編集処理が必要になり、ＤＶＤの容量の最適化処理が複雑化するという課題が生じる。また、最適化処理に必要な編集処理をするだけのために、キャッシュ手段を設けているので、ハードウェアの構成要素が増加して、コストアップにも繋がるという課題がある。また、例えばテレビ番組を一旦ハードディスクに記録したい場合は、パーソナルコンピュータを用意しなければならないので、ユーザはパーソナルコンピュータを購入する必要があり、ユーザにとっては経済的負担が増えるという課題も生じる。
【０００６】
本発明は、上記のような課題を解決するためになされたもので、テレビ番組などの録画も可能なハードディスクを備え、そのハードディスクを利用して光ディスクの容量の最適化を行える機能を有するディスク記録再生装置を提供することを目的とする。
【０００７】
【課題を解決するための手段】
上記目的を達成するために、請求項１の発明は、光ディスクに対して情報の記録・再生を行う光ディスクドライブ部とハードディスクに対して情報の記録・再生を行うハードディスクドライブ部とを備えるディスク記録再生装置であって、前記光ディスクにシリアルに記録される録画モードであるビデオモードにより記録された各番組情報の先頭アドレスを検出する先頭アドレス検出手段と、各番組情報の終端アドレスを検出する終端アドレス検出手段と、前記終端アドレス検出手段により検出された当該番組情報の終端アドレスと前記先頭アドレス検出手段により検出されたその次の番組情報の先頭アドレスとの間で連続性があるか否かを判定するアドレス連続性判定手段と、前記アドレス連続性判定手段により両アドレス間に連続性がないと判定された場合に前記光ディスク上に消去済みであるが録画不可の領域があると判定する領域判定手段と、前記領域判定手段により判定された録画不可の領域以降の領域の番組情報を読み出して前記ハードディスクにコピーする処理を行う第１コピー手段と、前記第１コピー手段により前記ハードディスクにコピーされた番組情報を前詰で前記光ディスクの空き領域にコピーする第２コピー手段とを有した制御部を備えることにより、前記光ディスクの容量の最適化処理を実行し、また、前記ハードディスクへの新たな番組情報の録画開始時に、前記制御部の動作を平行処理で行うことを選択して平行処理を行う場合、その新たな番組情報の録画が完了すると、前記第２コピー手段により前記光ディスクにコピーされた番組情報の次の領域に前詰めで前記新たな番組情報をコピーすることにより、前記光ディスクの容量の最適化処理を実行することを特徴とするディスク記録再生装置を提供する。
【０００８】
この構成のディスク記録再生装置において、光ディスクにビデオモードにより各番組情報が記録された後、ユーザが不要になった当該番組情報を消去したい場合に、消去操作を行うと、これ以降は当該番組情報が光ディスクからは読み出されなくなる。即ち、ユーザの消去操作により、当該番組情報の領域は「消去済みであるが録画不可」の領域になる。
【０００９】
ここで、光ディスクの容量の最適化を行うために、アドレス連続性判定手段は、終端アドレス検出手段により検出された番組情報の終端アドレスと先頭アドレス検出手段により検出されたその次の番組情報の先頭アドレスとの間で連続性があるか否かを判定する。この場合、ユーザが不要になった当該番組が消去操作されているので、アドレス連続性判定手段は両アドレス間に連続性がないと判定し、更に、領域判定手段は光ディスク上に「消去済みであるが録画不可」の領域があると判定する。
【００１０】
次に、第１コピー手段は前記録画不可の領域以降の領域の番組情報を読み出してハードディスクにコピーし、更に、第２コピー手段はハードディスクにコピーされた番組情報を前詰で光ディスクの空き領域にコピーする。これにより、光ディスクの容量の最適化が完了したことになる。
【００１１】
また、ハードディスクへの新たな番組情報の録画開始時に、制御部の動作を平行処理で行うことを選択された場合、ハードディスクに新たな番組情報が録画されている時は、最適化の処理が平行処理で行われ、この新たな番組情報の録画が完了すると、第２コピー手段は、前記最適化処理で光ディスクにコピーされた番組情報の次の領域に前詰めで前記新たな番組情報をコピーする。このようにして新たな番組情報を光ディスクに記録した場合も、光ディスクの容量は最適化された状態になる。また、データコピーのみでエンコーダ等を通さないため、録画と平行して処理でき、これにより、ハードディスクへの新たな番組情報の録画と平行して光ディスクに対する最適化処理が可能となり、効率の良い最適化処理を実現できる。
【００１２】
この構成のディスク記録再生装置によれば、テレビ番組などの情報もハードディスクに記録できるハードディスクドライブ部を備え、そのハードディスクを利用して光ディスクの容量の最適化を行えるので、光ディスクの容量の最適化処理が簡単になり、また、最適化処理するだけのために設けられる従来のようなキャッシュ手段が不要となり、この分、コストダウンを図れ、また、パーソナルコンピュータを用意しなくてもテレビ番組などの情報をハードディスクに記録することもでき、これにより、ユーザはパーソナルコンピュータを購入する必要がなく、ユーザにとっては経済的負担を軽減できる。
【００１３】
請求項２の発明は、光ディスクに対して情報の記録・再生を行う光ディスクドライブ部とハードディスクに対して情報の記録・再生を行うハードディスクドライブ部とを備えるディスク記録再生装置であって、前記光ディスクに消去済みであるが記録不可の領域がある場合、前記消去済み領域以降の情報を前記ハードディスクに一旦コピーし、このコピーした情報を前記光ディスクの空き領域に前詰めでコピーすることにより、前記光ディスクの容量の最適化を実行する制御部を備えたことを特徴とするディスク記録再生装置を提供する。
【００１４】
この構成のディスク記録再生装置において、光ディスクにビデオモードにより各番組情報が記録された後、ユーザが不要になった当該番組情報を消去したい場合に、消去操作を行うと、これ以降は当該番組情報が光ディスクからは読み出されなくなる。即ち、ユーザの消去操作により、当該番組情報の領域は「消去済みであるが録画不可」の領域になる。
【００１５】
ここで、光ディスクの容量の最適化を行うために、制御部は、光ディスクに消去済みであるが記録不可の領域があると判定し、前記消去済み領域以降の情報をハードディスクに一旦コピーし、このコピーした情報を光ディスクの空き領域に前詰めでコピーする。この結果、光ディスクの容量が最適化されたことになる。
【００１６】
この構成のディスク記録再生装置によれば、テレビ番組などの情報もハードディスクに記録できるハードディスクドライブ部を備え、そのハードディスクを利用して光ディスクの容量の最適化を行えるので、光ディスクの容量の最適化処理が簡単になり、また、最適化処理するだけのために設けられる従来のようなキャッシュ手段が不要となり、この分、コストダウンを図れ、また、パーソナルコンピュータを用意しなくてもテレビ番組などの情報をハードディスクに記録することもでき、これにより、ユーザはパーソナルコンピュータを購入する必要がなく、ユーザにとっては経済的負担を軽減できる。
【００１７】
請求項３の発明では、前記制御部は、新たな情報を記録する場合、新たな情報を前記ハードディスクに記録しつつ、平行処理で前記光ディスクの容量の最適化を実行し、新たな情報の記録が完了すると、新たな情報を前記光ディスクの空き領域に前詰めでコピーするので、光ディスクに対する効率の良い最適化処理を実現できる。
【００１８】
請求項４の発明では、前記制御部は、光ディスクにシリアルに記録される録画モードであるビデオモードにより記録された各情報の先頭アドレスを検出する先頭アドレス検出手段と、各情報の終端アドレスを検出する終端アドレス検出手段と、前記終端アドレス検出手段により検出された当該情報の終端アドレスと前記先頭アドレス検出手段により検出されたその次の情報の先頭アドレスとの間で連続性があるか否かを判定するアドレス連続性判定手段と、前記アドレス連続性判定手段により両アドレス間に連続性がないと判定された場合に前記光ディスク上に消去済みであるが記録不可の領域があると判定する領域判定手段と、前記領域判定手段により判定された記録不可の領域以降の領域の情報を読み出して前記ハードディスクにコピーする処理を行う第１コピー手段と、前記第１コピー手段により前記ハードディスクにコピーされた情報を前詰で前記光ディスクの空き領域にコピーする第２コピー手段とを有しているので、光ディスクとハードディスク間のコピー処理により光ディスクの容量の最適化を簡単に実現できる。
【００１９】
請求項５の発明では、前記光ディスクまたは／および前記ハードディスクに記録される情報は、各種番組の映像音声情報であるので、テレビ番組などが録画された光ディスクの容量の最適化を行うことができる。
【００２０】
【発明の実施の形態】
以下、添付図面を参照しつつ、本発明の実施の形態について説明する。図１は本発明の一実施形態に係るディスク記録再生装置の構成を示すブロック図である。このディスク記録再生装置は、テレビジョン放送信号を受信するアンテナ１に接続されたチューナー２と、このチューナー２で選局された放送信号をデジタル処理してＤＶＤ（デジタル・バーサタイル・ディスク）８またはＨＤＤ（ハードディスク）９に記録できる形態の放送データに変換して出力するデータ処理回路３と、このデータ処理回路３からの放送データをデコード化して映像信号および音声信号を出力するデコード回路４と、データ処理回路３からの放送データを入力してＤＶＤ８に記録するＤＶＤドライブ部６と、データ処理回路３からの放送データを入力してＨＤＤ９に記録するＨＤＤドライブ部７とを備えている。
【００２１】
また、このディスク記録再生装置は、データ処理回路３とＤＶＤドライブ部６とＨＤＤドライブ部７との間を制御する制御部５を備えている。この制御部５はＤＶＤ８にシリアルに記録される録画モードであるビデオモードにより記録された各番組情報の先頭アドレスを検出する先頭アドレス検出手段５１と、各番組情報の終端アドレスを検出する終端アドレス検出手段５２と、前記終端アドレス検出手段５２により検出された当該番組情報の終端アドレスと前記先頭アドレス検出手段５１により検出されたその次の番組情報の先頭アドレスとの間で連続性があるか否かを判定するアドレス連続性判定手段５３と、前記アドレス連続性判定手段５３により両アドレス間に連続性がないと判定された場合に前記ＤＶＤ８上に消去済みであるが録画不可の領域があると判定する領域判定手段５４と、前記領域判定手段５４により判定された録画不可の領域以降の領域の番組情報を読み出してＨＤＤ９にコピーする処理を行う第１コピー手段５５と、前記第１コピー手段５５により前記ＨＤＤ９にコピーされた番組情報を前詰で前記ＤＶＤ８の空き領域にコピーする第２コピー手段５６とを有している。
【００２２】
図２は、本実施形態においてＤＶＤにビデオモードで記録される情報のフォーマット構成図である。図２において、領域１１は、各制御情報の位置情報、タイトル検索用情報、ビデオ属性情報、オーディオ属性情報などが記録される領域である。領域１２は、領域１１のメニューのビデオ・オーディオデータ群を示すＶＭＧＭ・ＶＯＢＳが記録される領域である。領域１３は、領域１１のバックアップデータが記録される領域である。
【００２３】
１４は、各制御情報の位置情報、チャプタ検索用情報、タイトル再生用情報、タイトルのセルのアドレス情報テーブル、タイトルのＶＯＢＵのアドレス情報テーブル（本実施形態で言う番組Ａの先頭アドレスを含む）などが記録される領域である。１５は、タイトル♯１のＶＯＢＳ（本実施形態で言う番組Ａ）が記録される領域である。１６は、領域１４のバックアップデータ（本実施形態で言う番組Ａの終端アドレスを含む）が記録される領域である。
【００２４】
１７は、各制御情報の位置情報、チャプタ検索用情報、タイトル再生用情報、タイトルのセルのアドレス情報テーブル、タイトルのＶＯＢＵのアドレス情報テーブル（本実施形態で言う番組Ｂの先頭アドレスを含む）などが記録される領域である。１８は、タイトル♯２のＶＯＢＳ（本実施形態で言う番組Ｂ）が記録される領域である。１９は、領域１７のバックアップデータ（本実施形態で言う番組Ｂの終端アドレスを含む）が記録される領域である。
【００２５】
２０は、各制御情報の位置情報、チャプタ検索用情報、タイトル再生用情報、タイトルのセルのアドレス情報テーブル、タイトルのＶＯＢＵのアドレス情報テーブル（本実施形態で言う番組Ｃの先頭アドレスを含む）などが記録される領域である。２１は、タイトル♯３のＶＯＢＳ（本実施形態で言う番組Ｃ）が記録される領域である。２２は、領域２０のバックアップデータ（本実施形態で言う番組Ｃの終端アドレスを含む）が記録される領域である。
【００２６】
２３は、各制御情報の位置情報、チャプタ検索用情報、タイトル再生用情報、タイトルのセルのアドレス情報テーブル、タイトルのＶＯＢＵのアドレス情報テーブル（本実施形態で言う番組Ｄの先頭アドレスを含む）などが記録される領域である。２４は、タイトル♯４のＶＯＢＳ（本実施形態で言う番組Ｄ）が記録される領域である。２５は、領域２３のバックアップデータ（本実施形態で言う番組Ｄの終端アドレスを含む）が記録される領域である。
【００２７】
この図２で説明したように、ＤＶＤには情報がシリアルに記録される。即ち、ＤＶＤへの情報はビデオモードで記録されることになる。なお、本実施形態では、書換え可能なＤＶＤ（ＤＶＤ−ＲＷ）について説明するが、このようなＤＶＤに限らず、ビデオモードで記録され、書換え可能なＣＤ（ＣＤ−ＲＷ）であっても良い。
【００２８】
図３は本実施形態におけるＤＶＤの容量の最適化処理を説明するためのブロック図である。図３において、３０は録画前のＤＶＤ８の領域状態を示し、この領域状態３０において、ａは番組Ａが録画されている領域、ｂは番組Ｂが録画されている領域、ｄは番組Ｄが録画されている領域、Ｘ１は空き領域をそれぞれ示す。また、ｃはユーザが以前消去した番組Ｃが録画されていた領域を示す。この領域状態３０は、これから録画する例えば番組Ｅに対して、ＤＶＤ８の空き容量は十分ではないが、以前消去した番組Ｃの容量を合わせると、録画可能になる状態を示している。なお、ユーザが不要となり、消去した番組Ｃの情報は、実際はＤＶＤ８の領域ｃ上に残っており、再生できない状態になっている。また、この領域状態３０では、番組Ｃの領域ｃには新たに録画できないようになっている。
【００２９】
３１は録画処理の第１ステップにおけるＤＶＤ８の領域状態を示し、この領域状態３１において、ａは番組Ａが録画されている領域、ｂは番組Ｂが録画されている領域、ｄは番組Ｄが録画されている領域、Ｘ１は空き領域をそれぞれ示す。また、ｃはユーザが以前消去した番組Ｃが録画されていた領域を示す。この録画処理の第１ステップでは、例えば番組ＥをＨＤＤ９へ録画しながら、これと平行処理でＤＶＤ８の領域ｄの番組ＤをＨＤＤ９へコピーする。ここでは、最適化処理の第１ステップが実行されたことになる。
【００３０】
３２は録画処理の第２ステップにおけるＤＶＤ８の領域状態を示し、この領域状態３２において、ａは番組Ａが録画されている領域、ｂは番組Ｂが録画されている領域、Ｘ２は空き領域をそれぞれ示す。この録画処理の第２ステップでは、前記のように番組ＥをＨＤＤ９へ録画しながら、これと平行処理で行われていた番組ＤのＨＤＤ９へのコピーが完了する。この番組ＤのＨＤＤ９へのコピーが完了することにより、空き領域Ｘ１から空き領域Ｘ２（Ｘ１＜Ｘ２）になり、この結果、ＤＶＤ８の空き容量が増加することになる。ここでの空き領域Ｘ２は上書き可能になり、したがって、下記の処理で述べる番組Ｄおよび番組Ｅが記録可能になる。ここでは、最適化処理の第２ステップが実行されたことになる。
【００３１】
３３は録画処理の第３ステップにおけるＤＶＤ８の領域状態を示し、この領域状態３３において、ａは番組Ａが録画されている領域、ｂは番組Ｂが録画されている領域、ｄはＨＤＤ９に前記の第１ステップでコピーされた番組ＤがＤＶＤ８にコピーされた領域、Ｘ３は空き領域をそれぞれ示す。この録画処理の第３ステップでは、前記のように番組ＥをＨＤＤ９へ録画しながら、これと平行処理で番組ＤをＤＶＤ８へ前詰めでコピーする。このコピーされたＤＶＤ８上の領域が領域状態３３における領域ｄである。ここでは、最適化処理の第３ステップが実行されたことになる。
【００３２】
３４は録画処理の第４ステップにおけるＤＶＤ８の領域状態を示し、この領域状態３４において、ａは番組Ａが録画されている領域、ｂは番組Ｂが録画されている領域、ｄは前記の第３ステップでＤＶＤ８にコピーされた番組Ｄがコピーされた領域、ｅはＨＤＤ９に録画された番組ＥがＤＶＤ８にコピーされた領域、Ｘ４は空き領域をそれぞれ示す。この録画処理の第４ステップでは、番組ＥをＨＤＤ９へ録画していき録画を完了すると、この番組ＥをＤＶＤ８の領域ｄの次の領域ｅにコピーする。即ち、番組ＥをＤＶＤ８へ前詰めでコピーすることにより、番組Ｅの領域が領域ｅになる。ここでは、最適化処理の第４ステップが実行されたことになる。
【００３３】
３５は録画終了後のＤＶＤ８の領域状態を示し、この領域状態３５において、ａは番組Ａが録画されている領域、ｂは番組Ｂが録画されている領域、ｄは前記の第３ステップでＤＶＤ８にコピーされた番組Ｄがコピーされた領域、ｅはＨＤＤ９に録画された番組ＥがＤＶＤ８にコピーされた領域、Ｘ４は空き領域をそれぞれ示す。この領域状態３５は、ＤＶＤ８上で、消去済みであるが録画不可の領域（領域状態３１の領域ｃに相当）が無くなり、新たな番組Ｅも含めて記録された最適化の状態を示す。
【００３４】
次に、図４に示すフローチャートを参照して本実施形態のディスク記録再生装置における最適化処理について説明する。先ず、録画前においては、書換え可能なＤＶＤ８上に、以前消去した番組の容量がある場合、そのＤＶＤ８の空き容量を表示装置（図示せず）に表示すると共に、もし最適化を行った場合のＤＶＤ８の空き容量も表示する。そして、ユーザは、ディスク記録再生装置に対して、新たな番組Ｅの録画開始時に平行して最適化を行うかどうかの選択を行い、最適化を行うことを選択すると、以下の処理が実行される。
【００３５】
録画を開始すると（ステップＳ１）、録画する新たな番組Ｅは、先ずＨＤＤ９に記録する。それと平行してバックグラウンドでＤＶＤ８の最適化を行う。この最適化を行うため、ＤＶＤ８に消去済みであり録画不可の領域があるか否かが判定される（ステップＳ２）。
【００３６】
即ち、制御部５は、最適化処理の指令を受けると、先頭アドレス検出手段５１と終端アドレス検出手段５２により、各番組の先頭アドレスと終端アドレスを検出し、更に、アドレス連続性判定手段５３により、当該番組の終端アドレスと、その次の番組の先頭アドレスとの連続性を判定する。例えば、図３において、番組Ａの終端アドレスと番組Ｂの先頭アドレスとの連続性、番組Ｂの終端アドレスと番組Ｄの先頭アドレスとの連続性を判定する。この例の場合、番組Ｃは消去操作されているため、番組Ｂの終端アドレスと番組Ｄの先頭アドレスとの間は、連続性が無いので、アドレス連続性判定手段５３は両アドレス間に連続性がないと、判定し、この判定結果により、領域判定手段５４は、消去済みであるが録画不可の領域がＤＶＤ８上に有ると判定する（ステップＳ２）。
【００３７】
ＤＶＤ８上に、消去済みであるが録画不可の領域が有る場合は、新たな番組ＥをＨＤＤ９に録画しつつ、平行処理でＤＶＤ８の消去済みの領域以降の番組ＤをＨＤＤ９にコピーする（ステップＳ３）。即ち、制御部５は、第１コピー手段５５により、番組ＤをＨＤＤ９にコピーする。
【００３８】
そして、前記ＨＤＤ９への番組Ｄのコピーが終わると、第２コピー手段５６はＨＤＤ９にコピーした番組Ｄを、空き容量の増えたＤＶＤ８にコピーする（ステップＳ４）。このようにＤＶＤ８に番組Ｄをコピーすることにより、ＤＶＤ８において先に録画された番組Ａ，Ｂ，Ｄの領域ａ，ｂ，ｄに続く空き領域Ｘ３に新たな録画番組Ｅが記録され、この処理における録画が終了する（ステップＳ５）。なお、ステップＳ２において、ＤＶＤ８に消去済みであり録画不可の領域がないと判定された場合、即ち、録画可能な領域がＤＶＤ８に存在する場合、通常の処理で番組をＤＶＤ８に録画し（ステップＳ６）、その番組の録画が完了すると、この処理における録画が終了する（ステップＳ５）。
【００３９】
なお、本実施形態のディスク記録再生装置では、事前に処理時間の予測が可能なため、最適化に必要な時間が非常に長くかかる場合（少ない空き領域がＤＶＤ上に散在している場合など）は、録画前に最適化不可とするか、時間が長くかかる旨を表示装置によりユーザに知らせることができる。また、録画終了後もデータコピーに時間が長くかかり、直ぐにＤＶＤを装置から取り出せない場合も、事前にその旨を表示装置により知らせることができる。
【００４０】
本実施形態のディスク記録再生装置によれば、書換え可能なＤＶＤ（ＤＶＤ−ＲＷ）にビデオモードで録画を行う場合、そのＤＶＤ内のデータの状態に関わらず、残り容量（空き領域）の全てに番組を録画できるようになる。また、録画後にはＤＶＤ内に分散していたデータも整理される。また、ビデオモードで記録するため、ＤＶＤプレイヤーでの再生互換性が高くなる。
【００４１】
【発明の効果】
以上のように本発明によれば、先頭アドレス検出手段と終端アドレス検出手段とアドレス連続性判定手段と領域判定手段と第１コピー手段と第２コピー手段とを有した制御部を備えることにより、光ディスクの容量の最適化処理を実行でき、また、ハードディスクへの新たな番組情報の録画開始時に、制御部の動作を平行処理で行うことを選択して平行処理を行う場合、その新たな番組情報の録画が完了すると、光ディスクにコピーされた番組情報の次の領域に前詰めで前記新たな番組情報をコピーすることにより、光ディスクの容量の最適化処理を効率良く実行できる。また、テレビ番組などの情報もハードディスクに記録できるハードディスクドライブ部を備え、そのハードディスクを利用して光ディスクの容量の最適化を行えるので、光ディスクの容量の最適化処理が簡単になり、また、最適化処理するだけのために設けられる従来のようなキャッシュ手段が不要となり、この分、コストダウンを図れ、また、パーソナルコンピュータを用意しなくてもテレビ番組などの情報をハードディスクに記録することもでき、これにより、ユーザはパーソナルコンピュータを購入する必要がなく、ユーザにとっては経済的負担を軽減できる。
【００４２】
また、本発明によれば、光ディスクに消去済みであるが記録不可の領域がある場合、消去済み領域以降の情報をハードディスクに一旦コピーし、このコピーした情報を光ディスクの空き領域に前詰めでコピーすることにより、光ディスクの容量の最適化を実行する制御部を備えたので、光ディスクの容量の最適化処理を実行でき、また、テレビ番組などの情報もハードディスクに記録できるハードディスクドライブ部を備え、そのハードディスクを利用して光ディスクの容量の最適化を行えるので、光ディスクの容量の最適化処理が簡単になり、また、最適化処理するだけのために設けられる従来のようなキャッシュ手段が不要となり、この分、コストダウンを図れ、また、パーソナルコンピュータを用意しなくてもテレビ番組などの情報をハードディスクに記録することもでき、これにより、ユーザはパーソナルコンピュータを購入する必要がなく、ユーザにとっては経済的負担を軽減できる。
【図面の簡単な説明】
【図１】本発明の一実施形態に係るディスク記録再生装置の構成を示すブロック図である。
【図２】前記実施形態においてＤＶＤにビデオモードで記録される情報のフォーマット構成図である。
【図３】前記実施形態におけるＤＶＤの容量の最適化処理を説明するためのブロック図である。
【図４】前記実施形態における最適化処理を説明するためのフローチャートである。
【符号の説明】
５    制御部
６    ＤＶＤドライブ部
７    ＨＤＤドライブ部
８    ＤＶＤ
９    ＨＤＤ
５１    先頭アドレス検出手段
５２    終端アドレス検出手段
５３    アドレス連続性判定手段
５４    領域判定手段
５５    第１コピー手段
５６    第２コピー手段
【図１】
2004326884.tif 000003
【図２】
2004326884.tif 000004
【図３】
2004326884.tif 000005
【図４】
2004326884.tif 000006